(57)【要約】【課題】ハウジング前面に配設する操作釦の数を減らしつつ操作スイッチの誤操作を防ぐ。【解決手段】表示手段たるモニタ部１１に表示されたカーソルによって何れかの制御内容（何れかの子器を対称とする映像モニタや何れかの副親機に対する内線呼出など）が選択されているときに通話スイッチＳＷ１の操作入力が操作入力受付部１６で受け付けられれば当該制御内容の制御を制御手段たる親機１の制御部１７が実行する。つまり、制御内容の選択を決定するための操作スイッチとして通話スイッチＳＷ１を利用することができる。その結果、ハウジング１００前面に配設する操作釦の数を減らしつつ操作スイッチの誤操作を防ぐことができる。【選択図】図１
2008085629.tif 000002
【特許請求の範囲】
【請求項１】
住戸内に設置され、住戸外に設置されたドアホン子器との間で音声信号を授受するインターホン装置において、
ドアホン子器との間で通話用の音声信号を授受して通話するための通話手段と、通話手段の動作制御を含む複数の異なった制御を行う制御手段と、制御手段が実行可能な複数の制御内容を表示する表示手段と、通話手段を動作させてドアホン子器との間で音声信号の授受を開始させるための操作スイッチ、表示手段に複数の前記制御内容の表示を開始させるための操作スイッチ、複数の前記制御内容のうちから何れかの制御内容を選択するために表示手段に表示されるカーソルを移動させるための操作スイッチの操作状態を監視して各操作スイッチから操作入力を受け付ける操作入力受付手段と、各手段を収納するとともに複数の操作スイッチを各別に操作する操作釦が前面に配設されたハウジングとを備え、
制御手段は、表示手段に表示されたカーソルによって何れかの制御内容が選択されているときに音声信号の授受を開始させるための操作スイッチの操作入力が操作入力受付手段で受け付けられれば当該制御内容の制御を実行することを特徴とするインターホン装置。
【請求項２】
表示手段は、ハウジング前面に露出した表示デバイスを有し、ハウジング前面における表示デバイスの右斜め下の位置に音声信号の授受を開始させるための操作スイッチを操作する操作釦が配設されたことを特徴とする請求項１記載のインターホン装置。
【発明の詳細な説明】
【技術分野】
【０００１】
本発明は、インターホン装置に関するものである。
【背景技術】
【０００２】
従来、住戸内に設置され、住戸外に設置されたドアホン子器との間で音声信号を授受するインターホン装置が種々提供されているが、近年では、監視領域内における人の存在を検知したときに監視領域を撮像するセンサ付カメラのような防犯機器や、煙や熱を検出することで火災を感知する火災感知器のような防災機器を接続し、センサ付カメラで撮像された映像を液晶ディスプレイ等の表示デバイスに表示させたり、火災感知器で火災が感知されたときに表示デバイスに表示するとともに通話用のスピーカから警報音を鳴動させるというように複数の制御内容（機能）を有した多機能型のインターホン装置が普及しつつある（例えば、特許文献１参照）。
【特許文献１】特開２００６−１５７１８０号公報
【発明の開示】
【発明が解決しようとする課題】
【０００３】
ところで、ドアホン子器との通話のみ可能な単機能のインターホン装置であれば、使用者が操作する操作スイッチとして、ドアホン子器からの呼出に応答して通話を開始するための通話スイッチがあれば用は足りていた。しかしながら、上述のような多機能型のインターホン装置では多数の制御内容毎に操作スイッチが必要となり、しかも、インターホン装置のハウジング前面に表示デバイスの画面が配置されているために多くの操作スイッチをそれぞれ操作するために多数の操作釦を配置することが困難であった。そのために従来は、表示デバイスの画面に複数の制御内容を表示させるためのメニュースイッチと、制御内容を選択するためのカーソルを移動させるカーソルスイッチと、カーソルスイッチによる制御内容の選択を決定するための決定スイッチとを各々操作する操作釦をハウジングに設けて操作スイッチ並びに操作釦の数を減らしていた。
【０００４】
しかしながら、メニュースイッチやカーソルスイッチの操作釦、決定スイッチの操作釦に比べて操作頻度が高い通話スイッチの操作釦の寸法が他の操作釦に比べて大きく設定されているため、決定スイッチの操作釦と間違えて通話スイッチの操作釦が操作されてしまい、使用者が故障と勘違いしてしまう虞があった。
【０００５】
本発明は上記事情に鑑みて為されたものであり、その目的は、ハウジング前面に配設する操作釦の数を減らしつつ操作スイッチの誤操作を防ぐことができるインターホン装置を提供することにある。
【課題を解決するための手段】
【０００６】
請求項１の発明は、上記目的を達成するために、住戸内に設置され、住戸外に設置されたドアホン子器との間で音声信号を授受するインターホン装置において、ドアホン子器との間で通話用の音声信号を授受して通話するための通話手段と、通話手段の動作制御を含む複数の異なった制御を行う制御手段と、制御手段が実行可能な複数の制御内容を表示する表示手段と、通話手段を動作させてドアホン子器との間で音声信号の授受を開始させるための操作スイッチ、表示手段に複数の前記制御内容の表示を開始させるための操作スイッチ、複数の前記制御内容のうちから何れかの制御内容を選択するために表示手段に表示されるカーソルを移動させるための操作スイッチの操作状態を監視して各操作スイッチから操作入力を受け付ける操作入力受付手段と、各手段を収納するとともに複数の操作スイッチを各別に操作する操作釦が前面に配設されたハウジングとを備え、制御手段は、表示手段に表示されたカーソルによって何れかの制御内容が選択されているときに音声信号の授受を開始させるための操作スイッチの操作入力が操作入力受付手段で受け付けられれば当該制御内容の制御を実行することを特徴とする。
【０００７】
請求項２の発明は、請求項１の発明において、表示手段は、ハウジング前面に露出した表示デバイスを有し、ハウジング前面における表示デバイスの右斜め下の位置に音声信号の授受を開始させるための操作スイッチを操作する操作釦が配設されたことを特徴とする。
【発明の効果】
【０００８】
請求項１の発明によれば、制御手段は、表示手段に表示されたカーソルによって何れかの制御内容が選択されているときに音声信号の授受を開始させるための操作スイッチの操作入力が操作入力受付手段で受け付けられれば当該制御内容の制御を実行するので、制御内容の選択を決定するための操作スイッチとして音声信号の授受を開始させるための操作スイッチを利用することができ、その結果、ハウジング前面に配設する操作釦の数を減らしつつ操作スイッチの誤操作を防ぐことができる。
【０００９】
請求項２の発明によれば、ハウジング前面における表示デバイスの右斜め下の位置に音声信号の授受を開始させるための操作スイッチを操作する操作釦が配設されているので、パーソナルコンピュータのキーボードにおける「Enter」キーと同様に右利きの使用者にとっては表示手段の表示画面を見ながら操作釦が操作し易い。
【発明を実施するための最良の形態】
【００１０】
以下、図面を参照して本発明の実施形態を詳細に説明する。
【００１１】
本実施形態は、図１に示すように住戸内に設置され、住戸外に設置される複数台（図示例では３台）のドアホン子器２Ａ，２Ｂ，２Ｃと、住戸内に設置されてドアホン子器２Ａ，２Ｂ，２Ｃとの間で信号線Ｌｓを介して音声信号を授受するインターホン親機１と、監視領域を撮像した映像を信号線Ｌｓを介して親機１に伝送する複数（図示例では３台）のカメラ子器３Ａ，３Ｂ，３Ｃと、住戸内に設置される複数台（図示例では４台）のインターホン副親機（以下、「副親機」と略す。）４Ａ，４Ｂ，４Ｃ，４Ｄとで構成されるインターホンシステムのインターホン親機１に相当する。従って、以下では本実施形態を親機１と呼ぶことにする。なお、図示例では、ドアホン子器２Ａとカメラ子器３Ａとが平衡２線式の伝送線路Ｌｓ１で親機１に送り接続され、ドアホン子器２Ｂとカメラ子器３Ｂとが平衡２線式の伝送線路Ｌｓ２で親機１に送り接続され、ドアホン子器２Ｃとカメラ子器３Ｃとが平衡２線式の伝送線路Ｌｓ３で親機１に送り接続され、副親機４Ａ〜４Ｄが平衡２線式の伝送線路Ｌｓ４で親機１に送り接続されている。
【００１２】
ドアホン子器２Ａ〜２Ｃは何れも共通の構成を有するものであって、マイクロホン２０ａ並びにスピーカ２０ｂと、２線−４線変換回路を含み、マイクロホン２０ａから出力する音声信号を信号処理するとともに伝送線路Ｌｓ１，Ｌｓ２，Ｌｓ３を介して伝送される音声信号を信号処理してスピーカ２０ｂから音声を鳴動させる音声信号処理部２０と、ＣＣＤやＣＭＯＳ等の個体撮像素子とレンズ等の光学系を有し来訪者を撮像するカメラ部２１と、カメラ部２１から出力する映像信号を音声信号よりも高い周波数で周波数変調するとともに周波数変調された映像信号を伝送線路Ｌｓ１，…を介して伝送する映像信号送信部２２と、音声信号処理部２０から出力する音声信号と映像信号送信部２２から出力する映像信号を周波数多重化して伝送線路Ｌｓ１，Ｌｓ２，Ｌｓ３に送出するとともに、伝送線路Ｌｓ１，Ｌｓ２，Ｌｓ３を介して親機１や副親機４Ａ〜４Ｄから伝送される音声信号を分離する多重分離部２３と、伝送線路Ｌｓ１，Ｌｓ２，Ｌｓ３を介して呼出信号を送信する呼出信号送信部２４と、マイコンを主構成要素とし全体の動作制御を行う制御部２５と、呼出釦（図示せず）の操作入力を受け付けて制御部２５に対して操作信号を出力する操作入力受付部２６と、後述するように伝送線路Ｌｓ１，Ｌｓ２，Ｌｓ３を介して親機１から給電される電力で各部の動作電源を作成する電源部２７とを備えている。
【００１３】
親機１からドアホン子器２Ａ〜２Ｃへの給電電圧（直流電圧）は、ドアホン子器２Ａ，…が通話状態あるいはモニタ状態（後述する）の何れでもないときはシステムの低消費電力化を図るために相対的に低い状態とされ、通話状態やモニタ状態では相対的に高い状態とされる。以下、給電電圧の低い状態のことを待機給電状態と呼び、給電電圧の高い状態のことを動作給電状態と呼ぶ。ドアホン子器２Ａ〜２Ｃにおいては、待機給電状態にあるときは制御部２５のマイコンがスタンバイ状態で操作入力受付部２６から操作信号が出力されるのを待っており、呼出釦が操作されて操作入力受付部２６から操作信号が出力されると、制御部２５は呼出信号送信部２４を制御して、伝送線路Ｌｓ１，…の線間電圧を待機給電状態よりもさらに低い電圧に低下させることで親機１に呼出信号を伝送する。そして、呼出信号を受信した親機１が給電電圧を待機給電状態から動作給電状態に移行すると、制御部２５のマイコンがスタンバイ状態から通常状態に復帰し、カメラ部２１並びに映像信号送信部２２を起動して映像信号を伝送線路Ｌｓ１，…を介して親機１に送信するとともに音声信号処理部２０を起動して音声信号の送受、すなわち、通話が可能な状態となる。また、後述するように親機１においてドアホン子器２Ａ，…をモニタ状態とする操作入力が受け付けられることで給電電圧を待機給電状態から動作給電状態に移行した場合、制御部２５のマイコンがスタンバイ状態から通常状態に復帰し、カメラ部２１並びに映像信号送信部２２を起動して映像信号を伝送線路Ｌｓ１，…を介して親機１に送信することでドアホン子器２Ａ，…のカメラ部２１で撮像した映像を親機１でモニタできるようになっている。
【００１４】
カメラ子器３Ａ〜３Ｃは何れも共通の構成を有するものであって、ＣＣＤやＣＭＯＳ等の個体撮像素子とレンズ等の光学系を有し監視領域を撮像するカメラ部３０と、カメラ部３０から出力する映像信号を音声信号よりも高い周波数で周波数変調するとともに周波数変調された映像信号を伝送線路Ｌｓ１，…を介して伝送する映像信号送信部３１と、親機１との間で伝送線路Ｌｓ１，…を介して制御信号を伝送する制御信号伝送部３２と、人体から放射される熱線を焦電素子で検知することにより監視領域における人の存在を検出して人体検出信号を出力する人体検出部３３と、マイコンを主構成要素とし全体の動作制御を行う制御部３４とを備えている。但し、カメラ子器３Ａ〜３Ｃの動作電源は、図示しない電源回路によって商用電源から作成される。
【００１５】
制御信号伝送部３２は、音声信号並びに周波数変調された映像信号の何れとも異なる周波数の搬送波を利用した周波数偏移変調（ＦＳＫ）方式で制御信号を伝送している。また、カメラ子器３Ａ〜３Ｃでは、図示しないディップスイッチによって固有のＩＤが割り当てられており、このＩＤを制御信号の送信先あるいは送信元のアドレスとすることで親機１と各カメラ子器３Ａ〜３Ｃとの間で個別に制御信号を授受するようになっている。
【００１６】
カメラ子器３Ａ〜３Ｃでは、人体検出部３３から出力される人体検出信号を受け取った制御部３４がカメラ部３０並びに映像信号送信部３１を起動して監視領域を撮像した映像信号を伝送線路Ｌｓ１，…を介して親機１に伝送し、あるいは、映像信号の送信を要求する制御信号を受け取ったときに制御部３４がカメラ部３０並びに映像信号送信部３１を起動して監視領域を撮像した映像信号を伝送線路Ｌｓ１，…を介して親機１に伝送するようになっている。
【００１７】
一方、親機１は、マイクロホン１０ａ並びにスピーカ１０ｂと、２線−４線変換回路を含み、マイクロホン１０ａから出力する音声信号を信号処理するとともに伝送線路Ｌｓ１，Ｌｓ２，Ｌｓ３を介して伝送される音声信号を信号処理してスピーカ１０ｂから音声を鳴動させる音声信号処理部１０と、液晶ディスプレイなどの表示デバイスを有するモニタ部１１と、伝送線路Ｌｓ１，…を介して伝送される映像信号を受信し且つ復調してモニタ部１１に表示させるとともに予め用意された画面データに基づいた種々の映像をモニタ部１１に表示させる映像信号処理部１２と、伝送線路Ｌｓ１，…の線間電圧を監視してドアホン子器２Ａ，…から送信される呼出信号を受信する呼出信号受信部１３と、カメラ子器３Ａ〜３Ｃ並びに副親機４Ａ〜４Ｄとの間でＦＳＫ方式により制御信号を伝送する制御信号伝送部１４と、音声信号、映像信号、制御信号を周波数多重化するとともに分離する多重分離部１５と、複数（本実施形態では７つ）の操作スイッチＳＷ１〜ＳＷ７を具備して操作入力を受け付けるとともに受け付けた操作入力に対応した操作信号を出力する操作入力受付部１６と、マイコンを主構成要素とし全体の動作制御を行う制御部１７とを備えている。なお、図示はしていないが、商用電源から各部の動作電源を作成するとともに伝送線路Ｌｓ１，Ｌｓ２，Ｌｓ３を介してドアホン子器２Ａ〜２Ｃに給電する電源回路も備えている。
【００１８】
既に説明したように、例えばドアホン子器２Ａから送信された呼出信号を呼出信号受信部１３で受信すると、親機１の制御部１７が当該ドアホン子器２Ａへの給電電圧を待機給電状態から動作給電状態へ移行させるとともに音声信号処理部１０を制御してスピーカ１０ｂから呼出音を鳴動させる。一方、ドアホン子器２Ａでは制御部２５のマイコンがスタンバイ状態から通常状態に復帰し、カメラ部２１並びに映像信号送信部２２を起動して映像信号を伝送線路Ｌｓ１，…を介して親機１に送信するとともに音声信号処理部２０を起動する。親機１では、ドアホン子器２Ａから伝送されてくる映像信号を映像信号処理部１２で信号処理してモニタ部１１に来訪者の映像を表示し、呼出音を聞いた住戸人がモニタ部１１に表示されている来訪者の映像を見て、後述する通話釦１０３を押操作して操作スイッチ（通話スイッチ）ＳＷ１をオンすれば、操作入力受付部１６から操作信号が出力され、当該操作信号を受け取った制御部１７が音声信号処理部１０を起動してドアホン子器２Ａとの間で伝送線路Ｌｓ１を介して音声信号を授受することにより来訪者と住戸人とが通話できる。
【００１９】
また、何れかのカメラ子器（例えば、カメラ子器３Ａ）において監視領域に人の存在が検出されると、人体検出部３３から出力された人体検出信号を受け取った制御部３４がカメラ部３０並びに映像信号送信部３１を起動して監視領域を撮像した映像信号を伝送線路Ｌｓ１を介して親機１に伝送する。親機１では、カメラ子器３Ａから伝送されてくる映像信号を映像信号処理部１２で信号処理してモニタ部１１に監視領域の映像を表示する。さらに、カメラ子器３Ａから伝送されてくる映像を表示しているときに何れかのドアホン子器２Ａ，…から送信された呼出信号を受信した場合、若しくはドアホン子器２Ａ，…との通話中にカメラ子器３Ａ，…から映像信号が伝送されてきた場合、制御部１７は映像信号処理部１２に信号処理させて、これら２つの映像をモニタ部１１の画面に同時に表示させる。
【００２０】
ここで、親機１では３系統の伝送線路Ｌｓ１，Ｌｓ２，Ｌｓ３に対して映像信号を受信して信号処理する映像信号処理部１２を一つしか持たないので、映像信号同士の衝突を回避するために時分割多重伝送方式を採用している。すなわち、親機１の制御信号伝送部１４から伝送線路Ｌｓ１，Ｌｓ２，Ｌｓ３を介して伝送する制御信号によって規定される複数のタイムスロットにドアホン子器２Ａ〜２Ｃ並びにカメラ子器３Ａ〜３Ｃを個別に割り当て、それぞれの子器が自器に割り当てられたタイムスロットで映像信号を送信し、親機１の映像信号処理部１２において各タイムスロットで受信し且つ復調した映像信号から元の映像を再構成してモニタ部１１に表示させている。但し、時分割多重伝送の詳細については従来周知であるから説明を省略する。
【００２１】
副親機４Ａ〜４Ｄは何れも共通の構成を有するものであって、マイクロホン４０ａ並びにスピーカ４０ｂと、２線−４線変換回路を含み、マイクロホン４０ａから出力する音声信号を信号処理するとともに伝送線路Ｌｓ４を介して伝送される音声信号を信号処理してスピーカ４０ｂから音声を鳴動させる音声信号処理部４０と、液晶ディスプレイなどの表示デバイスを有するモニタ部４１と、伝送線路Ｌｓ４を介して伝送される映像信号を受信し且つ復調してモニタ部４１に表示させるとともに予め用意された画面データに基づいた種々の映像をモニタ部４１に表示させる映像信号処理部４２と、親機１との間でＦＳＫ方式により制御信号を伝送する制御信号伝送部４３と、音声信号、映像信号、制御信号を周波数多重化するとともに分離する多重分離部４４と、複数の操作スイッチ（図示せず）を具備して操作入力を受け付けるとともに受け付けた操作入力に対応した操作信号を出力する操作入力受付部４５と、マイコンを主構成要素とし全体の動作制御を行う制御部４６とを備えている。なお、各副親機４Ａ〜４Ｄには、図示しないディップスイッチによって固有のＩＤ（カメラ子器３Ａ〜３ＣのＩＤとも異なるＩＤ）が割り当てられており、このＩＤを制御信号の送信先あるいは送信元のアドレスとすることで親機１と各副親機４Ａ〜４Ｄとの間で個別に制御信号を授受するようになっている。
【００２２】
ここで、親機１ではドアホン子器２Ａ，…から呼出信号を受け取ったときに副親機４Ａ〜４Ｄに対してドアホン子器２Ａ，…からの呼出（以下、「ドアホン呼出」と呼ぶ。）を通知するための制御信号を送信し、また、後述するように親機１と副親機４Ａ〜４Ｄとの間で１対１又は１対多の内線通話を行うための操作が行われたときに副親機４Ａ〜４Ｄに対して呼出（以下、「内線呼出」と呼ぶ。）を通知するための制御信号を送信する。副親機４Ａ，…では、親機１から送信されたドアホン呼出の制御信号を制御信号伝送部４３で受信すると、制御部４６が音声信号処理部４０を制御してスピーカ４０ｂから呼出音を鳴動させるとともに、ドアホン子器２Ａ，…から親機１を経由して伝送されてくる映像信号を映像信号処理部４２で信号処理してモニタ部４１に来訪者の映像を表示し、呼出音を聞いた住戸人がモニタ部４１に表示されている来訪者の映像を見て通話釦を押操作することにより押釦スイッチをオンすれば、操作入力受付部４５から操作信号が出力され、当該操作信号を受け取った制御部４６が音声信号処理部４０を起動してドアホン子器２Ａ，…との間で伝送線路Ｌｓ１〜Ｌｓ３，Ｌｓ４を介して音声信号を授受することにより来訪者と住戸人とが通話できる。あるいは、親機１から送信された内線呼出の制御信号を制御信号伝送部４３で受信すると、副親機４Ａ，…の制御部４６が音声信号処理部４０を制御してスピーカ４０ｂから呼出音を鳴動させ、呼出音を聞いた住戸人が通話釦を押操作することにより押釦スイッチをオンすれば、操作入力受付部４５から操作信号が出力され、当該操作信号を受け取った制御部４６が音声信号処理部４０を起動して副親機４Ａ，…との間で伝送線路Ｌｓ１〜Ｌｓ３，Ｌｓ４を介して音声信号を授受することにより住戸人同士が通話（内線通話）できる。
【００２３】
次に、親機１の構造について説明する。
【００２４】
親機１のハウジング１００は合成樹脂成形体からなり、壁面に設けられる埋込孔に埋め込まれる矩形箱状の収納部１０１と、収納部１０１の前端縁より上下左右方向外側に突出する略矩形枠状のフランジ部１０２とを備えている。収納部１０１には、プリント配線板（図示せず）に電子部品を実装することで制御部１６や音声処理部１１等の各部を構成している回路ブロック（図示せず）や液晶ディスプレイ１１ａ、マイクロホン１０ａ、スピーカ１０ｂなどが収納されている。
【００２５】
液晶ディスプレイ１１ａはハウジング１００前面の正面から見て左寄りに配置されており、ハウジング１００前面の右側においては、多数の小孔が列設されている上部にスピーカ１０ｂが取り付けられ、その下部に操作スイッチＳＷ１〜ＳＷ３を押操作するための操作ハンドルが設けられている。但し、操作スイッチＳＷ１〜ＳＷ３を押操作するための操作ハンドルを各々通話釦１０３、モニタ釦１０４、内線呼出釦１０５と呼ぶことにする。通話釦１０３，モニタ釦１０４，内線呼出釦１０５は、何れも上部を支点として前後方向に回動自在且つ反操作向きに復帰力が付与される形でハウジング１００前面に取り付けられる。したがって、通話釦１０３，モニタ釦１０４，内線呼出釦１０５を押して後方へ回動させたときに通話釦１０３，モニタ釦１０４，内線呼出釦１０５の後面側に設けられている操作突起（図示せず）で各操作スイッチＳＷ１〜ＳＷ３をオンすることができる。
【００２６】
また、ハウジング１００前面における液晶ディスプレイ１１ａの下側には各々操作スイッチＳＷ４〜ＳＷ７を押操作するための４つの操作釦１０６，１０７，１０８，１０９が横一列に配設されている。各操作釦１０６〜１０９は、通話釦１０３，モニタ釦１０４，内線呼出釦１０５と同様に何れも下部を支点として前後方向に回動自在且つ反操作向きに復帰力が付与される形でハウジング１００前面に取り付けられる。したがって、操作釦１０６〜１０９を押して後方へ回動させたときに操作釦１０６〜１０９の後面側に設けられている操作突起（図示せず）で各操作スイッチＳＷ４〜ＳＷ７の押釦を押操作することができる。
【００２７】
ここで、フランジ部１０２の周壁部においては、収納部１０１内に収納されているメモリカードソケットと対応する位置（右側面の下部）に、メモリカードをメモリカードソケットに挿入接続するための開口部が設けられ、メモリカードソケットに対する異物の進入等を防ぐため、当該開口部を開閉自在に塞ぐ蓋体１０２ａが取り付けられている。
【００２８】
また、ハウジング１００は後部（収納部１０１）をスイッチボックス（図示せず）内に収める形で、当該スイッチボックスに取り付けられた取付枠（図示せず）にねじ止めして固定される。なお、取付枠にねじ止めするための取付ねじがハウジング１００前面に露出しているため、そのままの状態では外観上の見栄えが良くない。そこで、フランジ部１０２前面に略矩形枠状の化粧プレート２００を取り付け、フランジ部１０２前面を化粧プレート２００で覆い隠すようにしている。この化粧プレート２００は、日本工業規格で規格化されているフラッシプレート（ＪＩＳ  Ｃ  ８３１６参照）のうち、組合せ形のワイドプレートを構成する化粧板に相当し、背面側に突設されている複数の係止片（図示せず）をハウジング１００前面に設けられている複数の係止孔（図示せず）にそれぞれ挿入係止することでハウジング１００前面に着脱自在に取り付けられるものである。すなわち本実施形態においては、組合せ形プレートのプレート枠が、フランジ部１０２としてハウジング１００と一体に構成されていることになる。
【００２９】
ところで親機１においては、モニタ釦１０４が押操作されることで操作スイッチ（モニタスイッチ）ＳＷ２がオンされて操作入力受付部１６から操作信号が出力されると、その操作信号を受け取った制御部１７が映像信号処理部１２を制御し、図２（ａ）に示すように映像モニタ可能な子器（ドアホン子器２Ａ〜２Ｃ並びにカメラ子器３Ａ〜３Ｃ）を示す釦Ｂ１〜Ｂ６が縦横に配置された映像（以下、「映像モニタ選択用メニュー画面」と呼ぶ。）Ｇ１をモニタ部１１に表示させる。そして、映像モニタ選択用メニュー画面Ｇ１がモニタ部１１に表示されているときには、操作スイッチＳＷ４〜ＳＷ７を操作することで映像をモニタする子器を選択することができる。つまり、映像モニタ選択用メニュー画面Ｇ１では複数の釦Ｂ１〜Ｂ６のうちでカーソルによって選択されている状態の釦（図示例ではＢ１）のみが反転表示されており、操作釦（カーソル釦）１０６〜１０９が押操作されて操作スイッチＳＷ４〜ＳＷ７がオンされることで操作入力受付部１６から制御部１７に操作信号が出力されると、当該操作信号に応じて制御部１７がカーソルの位置を移動（反転表示される釦Ｂ１〜Ｂ６を変更）するように映像信号処理部１２を制御する。さらに、映像モニタ選択用メニュー画面Ｇ１において何れかの釦Ｂ１〜Ｂ６がカーソルで選択されているときに通話釦１０３が押操作されて通話スイッチＳＷ１がオンされることで操作入力受付部１６から制御部１７に操作信号が出力されると、制御部１７ではその時点で選択されている釦（例えば、釦Ｂ４）に対応する子器の選択を決定し、上述のように釦Ｂ４に対応するカメラ子器３Ａに映像信号を伝送させてモニタ部１１に映像を表示させる。
【００３０】
また親機１においては、内線呼出釦１０５が押操作されて操作スイッチ（内線呼出）ＳＷ３がオンされることで操作入力受付部１６から操作信号が出力されると、その操作信号を受け取った制御部１７が映像信号処理部１２を制御し、図２（ｂ）に示すように副親機４Ａ〜４Ｄに対応する釦Ｂ１０〜Ｂ１４が縦横に配置された映像（以下、「内線呼出選択用メニュー画面」と呼ぶ。）Ｇ２をモニタ部１１に表示させる（但し、釦Ｂ１０は全ての副親機４Ａ〜４Ｄを一斉に呼び出す一斉呼出に対応した釦である）。そして、内線呼出選択用メニュー画面Ｇ２では複数の釦Ｂ１０〜Ｂ１４のうちでカーソルによって選択されている状態の釦（図示例ではＢ１１）のみが反転表示されており、操作釦（カーソル釦）１０６〜１０９が押操作されて操作スイッチＳＷ４〜ＳＷ７がオンされることで操作入力受付部１６から制御部１７に操作信号が出力されると、当該操作信号に応じて制御部１７がカーソルの位置を移動（反転表示される釦Ｂ１０〜Ｂ１４を変更）するように映像信号処理部１２を制御する。さらに、内線呼出選択用メニュー画面Ｇ２において何れかの釦Ｂ１０〜Ｂ１４がカーソルで選択されているときに通話釦１０３が押操作されて通話スイッチＳＷ１がオンされることで操作入力受付部１６から制御部１７に操作信号が出力されると、制御部１７ではその時点で選択されている釦（例えば、釦Ｂ１１）に対応する副親機の選択を決定し、上述のように釦Ｂ１１に対応する副親機４Ａに対して内線呼出の制御信号を送信して内線通話を可能とする。
【００３１】
このように本実施形態によれば、表示手段たるモニタ部１１に表示されたカーソルによって何れかの制御内容（何れかの子器を対象とする映像モニタや何れかの副親機に対する内線呼出など）が選択されているときに通話スイッチＳＷ１の操作入力が操作入力受付部１６で受け付けられれば当該制御内容の制御を制御手段たる親機１の制御部１７が実行するので、制御内容の選択を決定するための操作スイッチとして通話スイッチＳＷ１を利用することができ、その結果、ハウジング１００前面に配設する操作釦の数を減らしつつ操作スイッチの誤操作を防ぐことができる。特に、通話スイッチＳＷ１を押操作するための操作釦（通話釦１０３）は他の操作釦（モニタ釦１０４，内線呼出釦１０５など）に比べて寸法が大きくなっているので操作がし易いという利点がある。しかも、通話釦１０３がハウジング１００前面における表示デバイス（液晶ディスプレイ１１ａ）の右斜め下の位置に配設されているので、パーソナルコンピュータのキーボードにおける「Enter」キーと同様に右利きの使用者にとってはモニタ部１１の表示画面を見ながら通話釦１０３が操作し易いという利点がある。
【００３２】
なお、本実施形態の親機１では、ドアホン子器２Ａ〜２Ｃから送信される映像並びに音声と、カメラ子器３Ａ〜３Ｃから送信される映像とを記録する機能（録画・録音機能）を有しており、操作スイッチ（留守録設定スイッチ）ＳＷ４が操作されて留守録モードに設定されている場合、あるいはドアホン子器２Ａ〜２Ｃの何れか１台又はカメラ子器３Ａ〜３Ｃの何れか１台から映像又は映像と音声を受信しているときに操作スイッチ（録画スイッチ）ＳＷ６が操作された場合、映像信号処理部１２で処理された映像と音声信号処理部１０で処理された音声を制御部１７が不揮発性のメモリ（図示せず）に記録するようになっている。そして、操作スイッチ（再生スイッチ）ＳＷ５が操作されると、制御部１７はメモリに記録されている映像（静止画又は動画）を読み出して映像信号処理部１２によりモニタ部１１に表示させるとともに、メモリに記憶されている音声を読み出して音声信号処理部１０によりスピーカ１０ｂから鳴動させるようになっている。
【００３３】
また親機１の制御部１７は、通話状態でも映像モニタ状態でもないときに操作スイッチＳＷ７が操作されて操作入力受付部１６から操作信号を受け取ると、例えば、ドアホン子器２Ａ〜２Ｃから送信される映像とカメラ子器３Ａ〜３Ｃから送信される映像を画面分割してモニタ部１１に表示させる際に表示領域が相対的に広い画面（親画面）に対して表示領域が相対的に狭い画面（子画面）の表示位置（左上、左下、右上、右下）を選択するためのメニュー画面をモニタ部１１に表示させ、あるいは、カメラ子器３Ａ〜３Ｃから映像が送信されてきたときにスピーカ１０ｂから警報音を鳴動させるか否かを選択するためのメニュー画面などの種々のメニュー画面をモニタ部１１に表示させるようになっている。そして、かかるメニュー画面がモニタ部１１に表示されているときは、上述のように操作スイッチＳＷ４〜ＳＷ７を使って選択した内容を操作スイッチ（通話スイッチ）ＳＷ１を操作して決定することができる。
【図面の簡単な説明】
【００３４】
【図１】本発明の実施形態を含むインターホンシステムのブロック図である。
【図２】同上の動作説明図である。
【図３】同上を示し、（ａ）は正面図、（ｂ）は右側面図、（ｃ）は下面図である。
【符号の説明】
【００３５】
１  インターホン親機（インターホン装置）
２Ａ〜２Ｃ  ドアホン子器
３Ａ〜３Ｃ  カメラ子器
１１  モニタ部（表示手段）
１６  操作入力受付部（操作入力受付手段）
１７  制御部（制御手段）
ＳＷ１〜ＳＷ７  操作スイッチ
【図１】
2008085629.tif 000003
【図２】
2008085629.tif 000004
【図３】
2008085629.tif 000005